(57)【要約】【課題】対象となる無線タグのみに確実に情報を書き込むことができる無線タグ及び無線タグ作成装置を提供する。【解決手段】  無線タグ２４は、メモリ部７０への情報の書き込みを制御するための書込制御電極７６を備え、ＩＣ回路部８０は、その書込制御電極７６の短絡又は開放に応じて上記メモリ部７０への情報の書き込みを制御する書込制御手段７８を含むことから、上記メモリ部７０への情報の書き込みの前後において書込制御電極７６の短絡・開放を適宜切り換えることで、対象となる無線タグ２４のみに確実に情報を書き込むことができる。【選択図】  図３
2005108009.tif 000002
【特許請求の範囲】
【請求項１】
所定の情報を記憶し得る情報記憶部を有するＩＣ回路部を備えた無線タグであって、
該情報記憶部への情報の書き込みを制御するための書込制御電極を備え、
前記ＩＣ回路部は、該書込制御電極の短絡又は開放に応じて前記情報記憶部への情報の書き込みを制御する書込制御手段を含むことを特徴とする無線タグ。
【請求項２】
前記書込制御手段は、前記書込制御電極が開放されている場合には前記情報記憶部への情報の書き込みを禁止するものである請求項１の無線タグ。
【請求項３】
前記書込制御電極を短絡させるための接続電極を有するものである請求項１又は２の無線タグ。
【請求項４】
前記情報記憶部への情報の書き込みを制御するための第１書込制御電極及び第２書込制御電極を備え、
前記書込制御手段は、該第１書込制御電極が短絡されている場合及び第２書込制御電極が開放されている場合には前記情報記憶部への情報の書き込みを禁止するものである請求項１の無線タグ。
【請求項５】
前記情報記憶部への情報の書き込みを制御するための第３書込制御電極を更に備え、
前記書込制御手段は、該第３書込制御電極が開放されている場合には前記情報記憶部への情報の書き込みを許可するものである請求項４の無線タグ。
【請求項６】
前記書込制御電極のインピーダンスは、前記ＩＣ回路部に接続されて非接触にて前記情報の送受信を行うためのアンテナ部のインピーダンスよりも高いものである請求項１から５の何れかの無線タグ。
【請求項７】
請求項１から６の何れかの無線タグに対して情報の書き込みを行う無線タグ作成装置であって、
複数の前記無線タグが連続して配設されたタグテープを所定の切断位置で切断するように制御する切断制御手段を含むことを特徴とする無線タグ作成装置。
【請求項８】
前記切断制御手段は、予め短絡されている前記書込制御電極が開放される位置で前記タグテープを切断するものである請求項７の無線タグ作成装置。
【請求項９】
切断により前記タグテープから分割される前記無線タグへの新たな情報の書き込みの許可又は禁止を定める書込制御情報を入力するための書込制御情報入力手段と、
該書込制御情報入力手段により入力される書込制御情報に基づいて該タグテープの送出量を決定する送出制御手段と
を、含むものである請求項７又は８の無線タグ作成装置。
【請求項１０】
前記ＩＣ回路部及び書込制御電極が固着された第１シート材と、前記接続電極が形成された第２シート材とを貼り合わせることにより、該接続電極により前記書込制御電極が短絡された前記タグテープを形成するものである請求項７から９の何れかの無線タグ作成装置。
【請求項１１】
前記切断制御手段は、予め短絡されている前記第１書込制御電極が開放される位置で前記タグテープを切断するものである請求項７から１０の何れかの無線タグ作成装置。
【請求項１２】
前記切断制御手段は、予め短絡されている前記第２書込制御電極が開放される位置で前記タグテープを切断するものである請求項７から１１の何れかの無線タグ作成装置。
【請求項１３】
前記切断制御手段は、前記タグテープにおいて互いに隣接して配設された第１の無線タグにおける前記第１書込制御電極及び第２の無線タグにおける前記第２書込制御電極が同時に開放されるように切断するものである請求項７から１２の何れかの無線タグ作成装置。
【発明の詳細な説明】
【技術分野】
【０００１】
本発明は、無線にて情報の書き込みや読み出しができる無線タグ及びその無線タグに対して情報の書き込みを行う無線タグ作成装置に関する。
【背景技術】
【０００２】
所定の情報が記憶された小型の無線タグ（応答器）から所定のリーダ（質問器）により非接触で情報の読み出しを行うＲＦＩＤ（Radio Frequency Identification）システムが知られている。このＲＦＩＤシステムは、無線タグが汚れている場合や見えない位置に配置されている場合であってもリーダとの無線通信により無線タグに記憶された情報を読み出すことが可能であることから、商品管理や検査工程等の様々な分野において実用が期待されている。
【０００３】
上記無線タグに対する情報の書き込みにおいては、その無線タグとの間に情報の通信を行う必要がある。例えば、交信周波数として９００ＭＨｚ乃至は２．４ＧＨｚといったＵＨＦ波帯を用いた通信により斯かる情報の書き込みが行われるが、高周波を用いる場合には通信距離が長いことから、無線タグ作成装置のカートリッジ内等に収納されている切断前の無線タグテープや既に書き込みの完了した無線タグ等とも交信が行われてしまう可能性があり、対象となる無線タグのみに情報を書き込むのは困難であった。とりわけ、ＷＯＲＭ（Write Once Read Many）タイプのＩＣチップを備えた無線タグの場合、誤って情報が書き込まれると消去や書き換えができないことから、その無線タグを廃棄せねばならなくなるという弊害があった。そこで、切断前の無線タグテープの状態では書き込みを不可とし、その無線タグテープを所定位置で切断することにより書き込みを可能とする無線タグが提案されている。例えば、特許文献１に記載された非接触ＩＣタグがそれである。
【０００４】
【特許文献１】特開２００２−２３０４９９号公報
【０００５】
しかし、前記従来の技術によれば、切断前の無線タグテープに情報が書き込まれるのを防止することはできるが、既に書き込みの完了した無線タグについては何ら考慮されておらず、依然として斯かる無線タグに誤って情報が書き込まれる可能性があった。すなわち、対象となる無線タグのみに確実に情報を書き込む技術は、未だ提供されていないのが現状である。
【発明の開示】
【発明が解決しようとする課題】
【０００６】
本発明は、以上の事情を背景として為されたものであり、その目的とするところは、対象となる無線タグのみに確実に情報を書き込むことができる無線タグ及び無線タグ作成装置を提供することにある。
【課題を解決するための手段】
【０００７】
斯かる目的を達成するために、本第１発明の要旨とするところは、所定の情報を記憶し得る情報記憶部を有するＩＣ回路部を備えた無線タグであって、その情報記憶部への情報の書き込みを制御するための書込制御電極を備え、前記ＩＣ回路部は、その書込制御電極の短絡又は開放に応じて前記情報記憶部への情報の書き込みを制御する書込制御手段を含むことを特徴とするものである。
【０００８】
また、前記目的を達成するために、本第２発明の要旨とするところは、前記第１発明の無線タグに対して情報の書き込みを行う無線タグ作成装置であって、複数の前記無線タグが連続して配設されたタグテープを所定の切断位置で切断するように制御する切断制御手段を含むことを特徴とするものである。
【発明の効果】
【０００９】
このように、前記第１発明では、前記情報記憶部への情報の書き込みを制御するための書込制御電極を備え、前記ＩＣ回路部は、その書込制御電極の短絡又は開放に応じて前記情報記憶部への情報の書き込みを制御する書込制御手段を含むことから、前記情報記憶部への情報の書き込みの前後において前記書込制御電極の短絡・開放を適宜切り換えることで、対象となる無線タグのみに確実に情報を書き込むことができる。
【００１０】
ここで、前記第１発明において、好適には、前記書込制御手段は、前記書込制御電極が開放されている場合には前記情報記憶部への情報の書き込みを禁止するものである。このようにすれば、書き込みの完了した無線タグの書込制御電極を開放させることで、その無線タグにおける前記情報記憶部への新たな情報の書き込みを禁止できる。
【００１１】
また、好適には、前記書込制御電極を短絡させるための接続電極を有するものである。このようにすれば、情報の書き込みに際してはじめて対象となる無線タグの書込制御電極をその接続電極により短絡させることで、その無線タグのみに確実に情報を書き込むことができる。
【００１２】
また、好適には、前記情報記憶部への情報の書き込みを制御するための第１書込制御電極及び第２書込制御電極を備え、前記書込制御手段は、その第１書込制御電極が短絡されている場合及び第２書込制御電極が開放されている場合には前記情報記憶部への情報の書き込みを禁止するものである。このようにすれば、情報の書き込みに際してはじめて対象となる無線タグの第１書込制御電極を開放させ、その無線タグにおける情報記憶部へ情報を書き込んだ後、その無線タグの第２書込制御電極を短絡させることで、その無線タグのみに確実に情報を書き込むことができる。
【００１３】
また、好適には、前記情報記憶部への情報の書き込みを制御するための第３書込制御電極を更に備え、前記書込制御手段は、その第３書込制御電極が開放されている場合には前記情報記憶部への情報の書き込みを許可するものである。このようにすれば、特別に所望される場合には、前記第１書込制御電極及び第２書込制御電極の短絡又は開放に係わらず前記情報記憶部へ情報を書き込むことができる。
【００１４】
また、好適には、前記書込制御電極のインピーダンスは、前記ＩＣ回路部に接続されて非接触にて前記情報の送受信を行うためのアンテナ部のインピーダンスよりも高いものである。このようにすれば、比較的低い電力により前記書込制御電極の短絡又は開放を判定することができる。
【００１５】
また、前記第２発明では、複数の前記無線タグが連続して配設されたタグテープを所定の切断位置で切断するように制御する切断制御手段を含むことから、その切断により前記書込制御電極の短絡・開放を適宜切り換えることができ、延いては前記情報記憶部への情報の書き込みを制御することができる。すなわち、対象となる前記無線タグのみに確実に情報を書き込むことができる無線タグ作成装置を提供することができる。
【００１６】
ここで、前記第２発明において、好適には、前記切断制御手段は、予め短絡されている前記書込制御電極が開放される位置で前記タグテープを切断するものである。このようにすれば、その切断により書き込みの完了した無線タグにおける前記情報記憶部への新たな情報の書き込みを禁止できる。
【００１７】
また、好適には、切断により前記タグテープから分割される前記無線タグへの新たな情報の書き込みの許可又は禁止を定める書込制御情報を入力するための書込制御情報入力手段と、その書込制御情報入力手段により入力される書込制御情報に基づいてそのタグテープの送出量を決定する送出制御手段とを、含むものである。このようにすれば、前記情報記憶部への新たな情報の書き込み可能な無線タグ及び書き込み不可能な無線タグを簡単に作り分けることができる。
【００１８】
また、好適には、前記ＩＣ回路部及び書込制御電極が固着された第１シート材と、前記接続電極が形成された第２シート材とを貼り合わせることにより、その接続電極により前記書込制御電極が短絡された前記タグテープを形成するものである。このようにすれば、それら第１シート材及び第２シート材が貼り合わされることによりはじめて対象となる無線タグの書込制御電極が短絡させられることから、張り合わされる前の第１シート材に固着されたＩＣ回路部に備えられた情報記憶部への情報の書き込みを確実に禁止できる。
【００１９】
また、好適には、前記切断制御手段は、予め短絡されている前記第１書込制御電極が開放される位置で前記タグテープを切断するものである。このようにすれば、情報の書き込みに際してはじめて対象となる無線タグの第１書込制御電極を開放させることで、切断される前の前記タグテープにおけるＩＣ回路部に備えられた情報記憶部への情報の書き込みを確実に禁止できる。
【００２０】
また、好適には、前記切断制御手段は、予め短絡されている前記第２書込制御電極が開放される位置で前記タグテープを切断するものである。このようにすれば、情報の書き込みが完了した無線タグの第２書込制御電極をその切断により開放させることで、その無線タグにおける前記情報記憶部への新たな情報の書き込みを禁止できる。
【００２１】
また、好適には、前記切断制御手段は、前記タグテープにおいて互いに隣接して配設された第１の無線タグにおける前記第１書込制御電極及び第２の無線タグにおける前記第２書込制御電極が同時に開放されるように切断するものである。このようにすれば、情報の書き込みが完了した前記第２の無線タグへの情報の書き込みを禁止すると共に、次なる情報の書き込みの対象となる前記第１の無線タグへの情報の書き込みを許可できる。
【実施例】
【００２２】
以下、本発明の好適な実施例を図面に基づいて詳細に説明する。
【００２３】
図１は、本発明が好適に適用されるＲＦＩＤシステム１０を説明する図である。このＲＦＩＤシステム１０において、本発明の一実施例である複数の無線タグ作成装置１２は、有線或いは無線による通信回線１４を介してルートサーバ１６、端末１８、汎用コンピュータ２０、及び複数の情報サーバ２２に接続されている。
【００２４】
図２は、上記無線タグ作成装置１２の構成を説明する図である。この無線タグ作成装置１２は、図４に示す無線タグ２４を作成するためのもので、後述するように所定の印字文字等の印刷を施したり、所望の書き込みＩＤ及び物品情報等をＩＣ回路部８０に書き込む等してユーザの要望に応じた無線タグ２４を即座に作成できるようにしたもので、その無線タグ２４の素材となるタグテープ２６を作成するための後述するカバーフィルム８６、インクリボン９８、アンテナ部６２及びＩＣ回路部８０から成る無線タグ回路２４ａが所定の間隔で帯状に配設された第１シート材９２等を収納する着脱自在のカートリッジ２８と、カートリッジ用モータ３０を駆動してそのカートリッジ２８からの上記タグテープ２６の送出を制御するカートリッジ用モータ駆動回路３２と、そのタグテープ２６に印刷を行うためにサーマルヘッド３４の駆動を制御する印刷駆動回路３６と、そのタグテープ２６を矢印で示す方向に送出するための送出ローラ３８と、送出ローラ用モータ４０を介してその送出ローラ３８の駆動を制御する送出ローラ駆動回路４２と、上記タグテープ２６をカートリッジ２８から搬出口４４へ案内するための搬送ガイド４６と、ソレノイド４８の駆動に応じてそのタグテープ２６を所定の長さで切断して個々の無線タグ２４に分割するカッタ５０と、そのタグテープ２６の位置を検出するための第１センサＳ１及び第２センサＳ２と、上記無線タグ２４との間で通信を行うための送受信アンテナ５２と、その送受信アンテナ５２を介してその無線タグ２４に情報を書き込むための高周波回路５４と、その無線タグ２４から読み出された信号を処理して情報を読み出すための信号処理回路５６と、上記カートリッジ用モータ駆動回路３２、印刷駆動回路３６、送出ローラ駆動回路４２、ソレノイド４８、高周波回路５４、及び信号処理回路５６等を介して上記無線タグ作成装置１２の駆動を制御するための制御回路５８とを、備えて構成されている。その制御回路５８は、入出力インターフェイス６０により上記通信回線１４に接続されている。なお、上記無線タグ回路２４ａは、前記無線タグ２４が有する全ての機能を備えていることから、以下の説明においては実質的には等価なものとする。
【００２５】
図３は、上記無線タグ回路２４ａの構成を説明する図である。この図３に示すように、上記無線タグ回路２４ａは、前記無線タグ作成装置１２の送受信アンテナ５２との間で、或いはその無線タグ作成装置１２とは異なる質問器との間で信号の送受信を行うためのアンテナ部６２と、そのアンテナ部６２により受信された搬送波を整流する整流部６４と、その整流部６４により整流された搬送波のエネルギを蓄積するための電源部６６と、上記アンテナ部６２により受信された搬送波からクロック信号を抽出して制御部７４に供給するクロック抽出部６８と、所定の情報信号を記憶し得る情報記憶部として機能するメモリ部７０と、上記アンテナ部６２に接続された変復調部７２と、上記整流部６４、クロック抽出部６８、及び変復調部７２等を介して上記無線タグ２４の作動を制御するための制御部７４と、ＩＣ回路部８０に接続されて上記メモリ部７０への情報の書き込みを制御するための書込制御電極７６とを、備えて構成されている。この書込制御電極７６は、好適には、銅箔及び銀ペースト等の導電性インクや金属細線等から成り、上記アンテナ部６２に比べて細く（断面半径が小さく）且つ通信周波数における高周波インピーダンスが高いものである。よって、無線通信に与える影響が小さくなるように構成される。
【００２６】
上記制御部７４は、前記無線タグ作成装置１２と通信を行うことにより上記メモリ部７０に上記所定の情報を記憶する制御や、上記アンテナ部６２により受信された搬送波を上記変復調部７２において上記メモリ部７０に記憶された情報信号に基づいて変調したうえで反射波として上記アンテナ部６２から反射返信する制御等の基本的な制御に加え、上記メモリ部７０への情報の書き込みを許可又は禁止する制御を実行する。すなわち、上記制御部７４は、書込制御手段７８を含むものであり、この書込制御手段７８は、上記書込制御電極７６の短絡又は開放に応じて上記メモリ部７０への情報の書き込みを許可又は禁止する制御を実行する。例えば、その書込制御電極７６が短絡されている場合には上記メモリ部７０への情報の書き込みを許可し、開放されている場合には上記メモリ部７０への情報の書き込みを禁止する。
【００２７】
図４は、前記無線タグ２４の外観及び構成を説明する図であり、（ａ）は平面図、（ｂ）は平面視における上記アンテナ部６２、書込制御電極７６、及びＩＣ回路部８０等の配置を説明する図である。この図４（ａ）に示すように、前記無線タグ２４の片側の面（表面）には、例えば、その無線タグ２４の種類を示す「ＲＦ−ＩＤ」等のその無線タグ２４が貼り付けられる物品に関連した印字８１が印刷されている。また、図４（ｂ）に示すように、この無線タグ２４における書込制御電極７６は開放されており、上記書込制御手段７８により前記メモリ部７０への情報の書き込みが禁止されている。これは、後述する図１１（ｂ）に示すタグテープ２６における無線タグ回路２４ａに情報が書き込まれた後、前記カッタ５０により点線Ｘで示す切断位置で切断されて作成されたものである。
【００２８】
図５は、図４のV‐V断面図である。この図５に示すように、上記整流部６４、電源部６６、クロック抽出部６８、メモリ部７０、変復調部７２、及び制御部７４等を含むＩＣ回路部８０は、ＰＥＴ（ポリエチレンテレフタラート）等から成る色付きのベースフィルム８２に固設されており、上記アンテナ部６２及び書込制御電極７６は、そのベースフィルム８２の表面に印刷等により形成されている。また、それらアンテナ部６２、書込制御電極７６、及びＩＣ回路部８０を覆うように、ＰＥＴ等から成る上記ベースフィルム８２と同色の保護フィルム８３が設けられており、その保護フィルム８３の表側には粘着層８４を介して透明なカバーフィルム８６が、裏側には粘着層８８を介して剥離紙９０がそれぞれ接着されている。上記印字８１は、上記カバーフィルム８６の裏面すなわち上記粘着層８４側の面に印刷されている。また、前記無線タグ２４が所定の商品等に貼り付けられる際には、上記剥離紙９０が剥がされて粘着層８８により接着される。
【００２９】
図６は、前記カートリッジ２８の構成を詳しく説明する図である。このカートリッジ２８には、前記アンテナ部６２及びＩＣ回路部８０等が連続配置された第１シート材９２が巻回された第１ロール９４と、その第１シート材９２と略同じ幅の前記カバーフィルム８６に前記書込制御電極７６を短絡させるための接続電極９５が連続配置された第２シート材９６が巻回された第２ロール９７と、インクリボン９８が巻回されたインクリボンロール１００と、そのインクリボン９８を巻き取るための巻取ローラ１０２と、上記第１シート材９２と第２シート材９６とを押圧してそれらを接着させつつ矢印で示す方向にテープ送りをする圧着ローラ１０４とが、それぞれの軸心回りに自転可能に設けられている。上記第１ロール９４及び第２ロール９７は、図面では同心円状に描かれているが、実際には芯に巻かれた渦巻き状になっている。上記インクリボンロール１００及び巻取ローラ１０２は、上記第２シート材９６の裏面側すなわち上記第１シート材９２と接着される側に配設されており、上記インクリボン９８は、前記無線タグ作成装置１２本体に設けられたサーマルヘッド３４に押圧されることで、上記第２シート材９６の裏面に当接させられるようになっている。
【００３０】
図７は、前記タグテープ２６の形成を説明する図であり、（ａ）は上記第２シート材９６を、（ｂ）は上記第１シート材９２を、（ｃ）は（ｂ）の平面図を、（ｄ）は上記第１シート材９２及び第２シート材９６が貼り合わされて形成された前記タグテープ２６をそれぞれ示している。前記タグテープ２６の形成においては、前記カートリッジ用モータ３０の駆動により上記巻取ローラ１０２と圧着ローラ１０４とが矢印で示す方向にそれぞれ同期して自転させられる。この際に、前記印刷駆動回路３６により前記サーマルヘッド３４に備えられた複数の発熱素子に通電されると、図７（ａ）に示すように、前記第２シート材９６におけるカバーフィルム８６の裏面すなわち上記第１シート材９２と接着される側の面に所定の文字や記号、或いはバーコード等が印刷され、その印刷が行われたうえで上記圧着ローラ１０４により上記第１シート材９２と接着される。ここで、図７（ｂ）及び（ｃ）に示すように、上記第１シート材９２において前記書込制御電極７６は、それぞれ前記ＩＣ回路部８０に接続された一対の電極から成るものであり、それら一対の電極における前記ＩＣ回路部８０と反対側の端部が露出させられるように、前記保護フィルム８３及び粘着層８４を貫通して開口８５が形成されている。図７（ｄ）に示すように、上記第１シート材９２及び第２シート材９６は、その第２シート材９６に設けられた接続電極９５が第１シート材９２における開口８５に嵌め入れられるように貼り合わされるものであり、そのように形成された前記タグテープ２６の無線タグ回路２４ａでは、前記書込制御電極７６が短絡されて前記メモリ部７０への情報の書き込みが許可されるのである。
【００３１】
図８は、前記制御回路５８の構成を説明する図である。この図８に示すように、前記制御回路５８は、中央演算処理装置であるＣＰＵ１０６、ＲＯＭ（Read Only Memory）１０８、及びＲＡＭ（Random Access Memory）１１０等から成り、ＲＡＭ１１０の一時記憶機能を利用しつつＲＯＭ１０８に予め記憶されたプログラムに従って信号処理を行う所謂マイクロコンピュータシステムである。また、この制御回路５８は、前記入出力インターフェイス６０を介して前記通信回線１４に接続されており、前記ルートサーバ１６、端末１８、汎用コンピュータ２０、及び情報サーバ２２等との間で情報のやりとりが可能とされている。図９は、前記無線タグ作成装置１２による前記無線タグ２４への情報の書き込みに際して、前記端末１８又は汎用コンピュータ２０に表示される画面の一例である。この図９に示すように、前記無線タグ２４に印刷される印字文字、その無線タグ２４に固有のＩＤである書き込みＩＤ、前記情報サーバ２２に記憶された物品情報のアドレス、及び前記ルートサーバ１６におけるそれらの対応情報の格納先アドレス等が前記端末１８又は汎用コンピュータ２０に表示可能とされており、その端末１８又は汎用コンピュータ２０の操作により前記無線タグ作成装置１２が作動させられて、前記カバーフィルム８６に上記印字文字が印刷されると共に、前記ＩＣ回路部８０に上記書き込みＩＤ及び物品情報等の情報が書き込まれる。また、前記無線タグ２４のＩＤとその無線タグ２４に書き込まれた情報との対応関係が前記ルートサーバ１６に記憶され、必要に応じて参照できるようになっている。
【００３２】
図１０は、前記高周波回路５４の構成を詳しく説明する図である。この図１０に示すように、前記高周波回路５４は、前記無線タグ２４に対して所定の信号を送信する送信部１１２と、その無線タグ２４からの反射波を受信する受信部１１４とから成り、その送信部１１２は、前記無線タグ２４に情報を書き込むための搬送波を発生させる搬送波発生部１１６と、前記信号処理回路５６から供給される情報信号に基づいてその搬送波発生部１１６により発生させられた搬送波を変調（例えば、ＴＸ−ＡＳＫ信号に基づく振幅変調）する搬送波変調部１１８と、その搬送波変調部１１８により変調された変調波を増幅する変調波増幅部１２０とを、備えて構成されている。その変調波増幅部１２０の出力は、カプラ１２２を介して前記送受信アンテナ５２に伝達され、その送受信アンテナ５２から送信されて前記無線タグ２４のアンテナ部６２を介してＩＣ回路部８０に供給される。
【００３３】
前記送受信アンテナ５２により受信された前記無線タグ２４からの反射波は、上記カプラ１２２を介して上記受信部１１４に入力される。その受信部１１４は、前記送受信アンテナ５２からの受信信号を増幅するＬＮＡ（Low Noise Amp）１２４と、そのＬＮＡ１２４により増幅された受信信号における所定の周波数帯域の信号のみを通過させる帯域通過フィルタ１２６とを、備えて構成されている。その帯域通過フィルタ１２６の出力は、前記信号処理回路５６に入力されてその信号処理回路５６により復調処理され、前記無線タグ２４による変調に関する情報すなわち前記メモリ部７０に記憶された情報が読み出される。
【００３４】
図１０に示す書込制御情報入力手段１３０、タグテープ送出制御手段１３２、及びタグテープ切断制御手段１３４は、何れも前記制御回路５８の制御機能である。書込制御情報入力手段１３０は、切断により前記タグテープ２６から分割される前記無線タグ２４への新たな情報の書き込みの許可又は禁止を定める書込制御情報を前記端末１８等の入力装置から入力させる。この書込制御情報入力手段１３０により入力された書込制御情報は、前記ＲＡＭ３０等に記憶される。タグテープ送出制御手段１３２は、上記書込制御情報入力手段１３０により入力された書込制御情報に基づいて前記送出ローラ２８の駆動を制御することにより前記タグテープ２６が所定の切断位置で切断されるようにそのタグテープ２６の送出量を決定する。タグテープ切断制御手段１３４は、前記カッタ５０の作動を制御することにより前記タグテープ２６を所定の切断位置で切断する。
【００３５】
前記タグテープ２６の底面すなわち前記第１シート材９２側の面には、図１１（ａ）に示すように、位置検出のためのマーク１３６が印刷等により形成されている。前記第１センサＳ１及び第２センサＳ２は、このマークにより反射光量が変化することを利用して前記タグテープ２６の位置（送出量）を検出する反射型光電センサであり、上記タグテープ送出制御手段１３２は、それら第１センサＳ１及び第２センサＳ２からの信号に基づいて前記送出ローラ２８の駆動を制御し、前記タグテープ２６に対する前記カッタ５０の位置が図１１（ｂ）の点線Ｘとされた状態、或いは点線Ｙとされた状態でそのタグテープ２６の送出を停止する。なお、この図１１（ｂ）においては、説明の便宜のため、前記アンテナ部６２、書込制御電極７６、及びＩＣ回路部８０等を実線で示している。上記書込制御情報入力手段１３０により入力された書込制御情報が切断により前記タグテープ２６から分割される前記無線タグ２４への新たな情報の書き込みすなわち情報の書き換えを禁止するものである場合には、上記タグテープ切断制御手段１３４は、図１１（ｂ）の点線Ｘで示す切断位置で前記タグテープ２６を切断するが、新たな情報の書き込みを許可するものである場合には、図１１（ｂ）の点線Ｙで示す切断位置でそのタグテープ２６を切断する。前記タグテープ２６が点線Ｘで示す切断位置で切断されると、そのタグテープ２６の無線タグ回路２４ａにおける書込制御電極７６が開放されるため、前記ＩＣ回路部８０の書込制御手段７８により前記メモリ部７０への新たな情報の書き込みが禁止されることから、新たな情報の書き込み不可能な無線タグ２４が作成されるが、点線Ｙで示す切断位置で切断されると、前記書込制御電極７６の短絡が維持されるため、前記ＩＣ回路部８０の書込制御手段７８により前記メモリ部７０への新たな情報の書き込み許可が継続されることから、新たな情報の書き込み可能な無線タグ２４が作成される。
【００３６】
図１２は、前述の実施例とは態様の異なるタグテープ１４０を例示する図であり、図１３は、そのタグテープ１４０を図１２の矢印XIIIで示す方向から視た構造図である。この図１２においては、説明の便宜のため、前記アンテナ部６２及びＩＣ回路部８０等を実線で示している。また、以下の説明において前述の実施例と重複する部分については、同一の符号を付してその説明を省略する。このタグテープ１４０は、前記アンテナ部６２、ＩＣ回路部８０、及び長短一対の電極からなる書込制御電極１４２が固着された前記ベースフィルム８２の両面に前記粘着層８４及び８８が設けられ、裏側すなわちＩＣ回路部８０側の粘着層８８により前記剥離紙９０が接着されて成る第１シート材１４６と、前記カバーフィルム８６にそのカバーフィルム８６の長手方向に連続して直線状の接続電極１４４が設けられて成る第２シート材１４８とが、図１３に示すように貼り合わされて形成されるものである。上記長短一対の書込制御電極１４２は、それぞれの前記ＩＣ回路部８０に接続されていない側の端部の面積が広く形成されており、上記接続電極１４４との間で容量結合し易くなっている。その接続電極１４４は、好適には、透明な導体材料から成るものである。上記第１シート材１４６及び第２シート材１４８は、前記第１シート材９２及び第２シート材９６と同様に、前記第１ロール９４及び第２ロール９７に巻回された状態で前記カートリッジ２８に備えられ、前記メモリ部７０への情報の書き込みに際してはじめて貼り合わされる。
【００３７】
前記カートリッジ２８に備えられた状態の第１シート材１４６に備えられたＩＣ回路部８０では上記書込制御電極１４２が開放されているため、前記書込制御手段７８により前記メモリ部７０への情報の書き込みが禁止されているが、そのカートリッジ２８から引き出された上記第１シート材１４６及び第２シート材１４８が前記圧着ローラ１０４により押圧されて図１３に示すように貼り合わされると、容量結合により上記書込制御電極１４２及び接続電極１４４が導通状態とされ、その書込制御電極１４２が短絡されて前記書込制御手段７８により前記メモリ部７０への情報の書き込みが許可される。情報の書き込みが完了した後、上記タグテープ１４０が図１２の点線Ｘで示す切断位置で切断されると、上記書込制御電極１４２が再度開放されるため、前記ＩＣ回路部８０の書込制御手段７８により前記メモリ部７０への新たな情報の書き込みが禁止されることから、新たな情報の書き込み不可能な無線タグが作成されるが、点線Ｙで示す切断位置で切断されると、上記書込制御電極１４２の短絡が維持されるため、前記ＩＣ回路部８０の書込制御手段７８により前記メモリ部７０への新たな情報の書き込み許可が継続されることから、新たな情報の書き込み可能な無線タグが作成される。この態様においては、上記接続電極１４４が前記カバーフィルム８６の長手方向に連続して設けられているため、上記第１シート材１４６及び第２シート材１４８の貼り合わせに際して、例えば、前記タグテープ２６の形成における前記開口８５と接続電極９５との位置合わせのような厳密な位置合わせが不要であるという利点がある。
【００３８】
図１４は、更に別のタグテープ１５０を例示する図である。このタグテープ１５０は、前記メモリ部７０への情報の書き込みを制御するためのループ状（環状）パターンの第１書込制御電極１５２及び第２書込制御電極１５４を備えて構成されている。これら第１書込制御電極１５２及び第２書込制御電極１５４は、図１４に示すように、何れも短絡された状態で前記ＩＣ回路部８０に接続されている。このタグテープ１５０に備えられたＩＣ回路部８０の制御部７４における書込制御手段７８は、上記第１書込制御電極１５２が短絡されている場合及び第２書込制御電極１５４が開放されている場合には前記メモリ部７０への情報の書き込みを禁止する。このタグテープ１５０は、例えば、所定の筒状部材に巻回された状態で前記カートリッジ２８に備えられている。
【００３９】
図１５は、上記タグテープ１５０の切断による無線タグ１５６の作成について説明する図であり、（ａ）は切断前の様子を、（ｂ）は（ａ）の点線Ｘで切断した様子を、（ｃ）は（ａ）の点線Ｙで切断した様子をそれぞれ示している。前記カートリッジ２８に備えられた状態のタグテープ１５０では上記第１書込制御電極１５２が短絡されているため、前記書込制御手段７８により前記メモリ部７０への情報の書き込みが禁止されているが、図１５（ａ）の紙面向かって右端に示す無線タグ回路１５６ａのように、切断により前記第１書込制御電極１５２が開放される位置で前記タグテープ１５０が切断されることで、前記書込制御手段７８により前記メモリ部７０への情報の書き込みが許可される。情報の書き込みが完了した後、上記タグテープ１５０が図１５（ａ）の点線Ｘで示す切断位置で切断されると、図１５（ｂ）に示すように、上記第２書込制御電極１５４が開放されるため、前記ＩＣ回路部８０の書込制御手段７８により前記メモリ部７０への新たな情報の書き込みが禁止されることから、新たな情報の書き込み不可能な無線タグ１５６が作成されるが、点線Ｙで示す切断位置で切断されると、図１５（ｃ）に示すように、上記第２書込制御電極１５４の短絡が維持されるため、前記ＩＣ回路部８０の書込制御手段７８により前記メモリ部７０への新たな情報の書き込み許可が継続されることから、新たな情報の書き込み可能な無線タグ１５６が作成される。ここで、前記タグテープ切断制御手段１３４は、好適には、図１５（ｂ）及び（ｃ）に示すように、点線Ｘ、Ｙの何れの切断位置で切断する場合においても、次なる情報の書き込み対象である無線タグ回路１５６ｂにおける第１書込制御電極１５２が開放されるように切断するものである。更に好適には、図１５（ｂ）に示すように、上記タグテープ１５０において互いに隣接して配設された第１の無線タグ回路１５６ｂにおける第１書込制御電極１５２及び第２の無線タグ回路１５６ａにおける第２書込制御電極１５４が同時に開放されるように切断するものである。
【００４０】
図１６は、更に別のタグテープ１６０を例示する図である。このタグテープ１６０は、前記第１書込制御電極１５２及び第２書込制御電極１５４に加えて、前記メモリ部７０への情報の書き込みを制御するための第３書込制御電極１５８を更に備えて構成されている。この第３書込制御電極１５８は、図１６に示すように、短絡された状態で前記ＩＣ回路部８０に接続されている。このタグテープ１６０に備えられたＩＣ回路部８０の制御部７４における書込制御手段７８は、上記第３書込制御電極１５８が開放されている場合には、前記第１書込制御電極１５２及び第２書込制御電極１５４の短絡又は開放に係わらず前記メモリ部７０への情報の書き込みを許可する。このタグテープ１６０は、例えば、所定の筒状部材に巻回された状態で前記カートリッジ２８に備えられている。
【００４１】
図１７は、上記タグテープ１６０の切断による無線タグ１６２の作成について説明する図であり、（ａ）は切断前の様子を、（ｂ）は（ａ）の点線Ｘで切断した様子を、（ｃ）は（ａ）の点線Ｙで切断した様子を、（ｄ）は点線Ｚで切断した様子をそれぞれ示している。前記カートリッジ２８に備えられた状態のタグテープ１６０では前記第１書込制御電極１５２が短絡されているため、前記書込制御手段７８により前記メモリ部７０への情報の書き込みが禁止されているが、図１７（ａ）の紙面向かって右端に示すＩＣ回路部８０のように、切断により前記第１書込制御電極１５２が開放される位置で前記タグテープ１６０が切断されることで、前記書込制御手段７８により前記メモリ部７０への情報の書き込みが許可される。情報の書き込みが完了した後、上記タグテープ１６０が図１７（ａ）の点線Ｘで示す切断位置で切断されると、図１７（ｂ）に示すように、前記第２書込制御電極１５４が開放されるため、前記ＩＣ回路部８０の書込制御手段７８により前記メモリ部７０への新たな情報の書き込みが禁止されることから、新たな情報の書き込み不可能な無線タグ１６２が作成されるが、点線Ｙで示す切断位置で切断されると、図１７（ｃ）に示すように、前記第２書込制御電極１５４の短絡が維持されるため、前記ＩＣ回路部８０の書込制御手段７８により前記メモリ部７０への新たな情報の書き込み許可が継続されることから、新たな情報の書き込み可能な無線タグ１５６が作成される。また、点線Ｘで切断されることにより前記第２書込制御電極１５４が開放された新たな情報の書き込み不可能な無線タグ１６２として作成された後、何らかの理由でその無線タグ１６２への新たな情報の書き込みが所望される場合には、図１７（ａ）の点線Ｚで示す切断位置で切断されることにより、図１７（ｄ）に示すように、前記第３書込制御電極１５８が開放されて前記ＩＣ回路部８０の書込制御手段７８により前記メモリ部７０への新たな情報の書き込みが許可される。
【００４２】
続いて、以上のように構成されたＲＦＩＤシステム１０による前記無線タグ２４、１５６、１６２等（以下、特に区別しない場合には無線タグ２４と称する）への情報書き込み動作及びそれに先立つ書き込み準備動作について説明する。
【００４３】
図１８は、前記ＲＦＩＤシステム１０による前記無線タグ２４への情報書き込みに先立ち実行される、前記無線タグ作成装置１２の初期化動作を説明するフローチャートである。先ず、ステップ（以下、ステップを省略する）ＳＰＡにおいて、前記無線タグ作成装置１２の機械情報が初期化される。次に、ＳＰＢにおいて、前記無線タグ作成装置１２の高周波回路５４に備えられた搬送波発生部１１６の設定が初期化された後、本ルーチンが終了させられる。
【００４４】
図１９は、図１８のＳＰＡにおける前記無線タグ作成装置１２の機械情報の初期化動作を説明するフローチャートである。先ず、ＳＰＡ１において、前記カートリッジ２８の有無が判定される。次に、ＳＰＡ２において、前記カートリッジ２８の種別すなわち前記タグテープ２６、１４０、１５０、１６０等（以下、特に区別しない場合にはタグテープ２６と称する）の幅及びＲＦＩＤの有無等が判定される。次に、ＳＰＡ３において、前記カートリッジ２８のタグテープ２６が使い切られているか等が判定された後、本ルーチンが終了させられる。
【００４５】
図２０は、図１８のＳＰＢにおける前記無線タグ作成装置１２の高周波回路５４に備えられた搬送波発生部１１６の設定初期化動作を説明するフローチャートである。先ず、ＳＰＢ１において、前記変調波増幅部１２０へ供給されて送信信号強度を定める信号ＴＸ−ＰＷＲがオフとされる。次に、ＳＰＢ２において、前記搬送波発生部１１６に備えられたＰＬＬ（Phase Locked Loop）が搬送波周波数に設定されて、同じくその搬送波発生部１１６に備えられたＶＣＯ（Voltage Controlled Oscillator）の発振周波数がＰＬＬからの制御電圧により固定された後、本ルーチンが終了させられる。
【００４６】
図２１は、前記無線タグ作成装置１２による前記無線タグ２４への情報書き込み動作を説明するフローチャートである。先ず、ＳＷＡにおいて、前記無線タグ２４へ情報を書き込むための準備が行われる。次に、ＳＷＢにおいて、情報の書き込み対象となる前記無線タグ２４が特定される。次に、ＳＷＣにおいて、前記無線タグ２４への情報の書き込みが行われた後、本ルーチンが終了させられる。
【００４７】
図２２は、図２１のＳＷＡにおける前記無線タグ２４へ情報を書き込むための準備動作を説明するフローチャートである。先ず、ＳＷＡ１において、前記無線タグ２４へ書き込まれる情報である書き込みＩＤ及び物品情報等が設定される。これらの情報の対応関係は、前記無線タグ２４への情報の書き込みに前後して前記通信回線１４を介して前記情報サーバ２２に登録される。次に、ＳＷＡ２において、ＳＷＡ１にて設定された情報からＣＲＣ（Cyclic Readundancy Check）符号が計算される。このＣＲＣ符号とは、前記無線タグ２４との間における通信の誤りを検出するための信号であり、例えば、Ｘ１６＋Ｘ１２＋Ｘ５  ＋１といった多項式で表される。後述する無線タグ２４の特定動作では、その無線タグ２４により反射変調されて受信されるデータから前記信号処理回路５６等においてＣＲＣ符号の計算が行われ、同様に受信されるＣＲＣ符号の値とその計算結果とが比較されることで通信の誤りが検出される。次に、ＳＷＡ３において、ＳＷＡ１にて設定された情報に基づいてコマンドフレームが作成された後、本ルーチンが終了させられる。
【００４８】
図２３は、前記無線タグ２４に情報を送信するための変調情報の生成について説明するフローチャートである。先ず、ＳＷＤ１において、情報の書き込み対象となる前記無線タグ２４を特定したり、情報の書き込みを行う等のファンクションが設定される。次に、ＳＷＤ２において、ＳＷＤ１にて設定されたファンクションに応じたコマンドが決定される。次に、ＳＷＤ３において、ＳＷＤ２にて決定されたコマンド、図２２のＳＷＡ１にて設定された書き込み情報、及びＳＷＡ２にて設定されたＣＲＣ符号等からコマンドフレームが作成される。次に、ＳＷＤ４において、ＳＷＤ３にて作成されたコマンドフレームが前記制御回路５８のメモリバッファに記憶される。そして、ＳＷＤ５において、そのメモリバッファに記憶されたコマンドフレームに基づく変調情報であるＴＸ−ＡＳＫ信号が前記信号処理回路５６により生成される。
【００４９】
図２３のＳＷＤ２にて決定されるコマンドの種類を図２４に示す。情報の書き込み対象となる前記無線タグ２４を特定する通信では、その無線タグ２４に記憶された情報を読み出すための「PING」及び「SCROLL ID」等のコマンドが用いられる。また、前記無線タグ２４に情報を書き込むための通信では、その無線タグ２４に記憶された情報を初期化するための「ERASE ID」、情報を書き込むための「PROGRAM ID」、書き込まれた情報を確認するための「VERIFY」、新たな情報の書き込みを禁止するための「LOCK」等のコマンドが用いられる。
【００５０】
図２５は、図２３のＳＷＤ３にて作成されるコマンドフレーム構造を詳しく説明する図である。前記コマンドフレームは、Ｔ０  を１ビットの情報を送信するための時間として、２Ｔ０  の送信パワーオフである「GAP」、５Ｔ０  の送信パワーオンである「PREAMBL」、２０箇の０信号を送信する「CLKSYNC」、コマンドの内容である「COMMAND」、８Ｔ０  の送信パワーオンである「SET UP」、及び１箇の１信号を送信する「SYNC」から成る。タグにより解釈される部分である「COMMAND」は、コマンドの開始を示す「SOF」、図２４に示す個々のコマンド「CMD」、書き込み対象となる無線タグ２４のメモリ位置を指定するポインタである「PTR」、書き込まれる情報の長さを示す「LEN」、書き込まれる情報の内容である「VAL」、「PTR」、「LEN」、「VAL」のパリティ情報である「P」、及びコマンドの終了を示す「EOF」から成る。
【００５１】
前記コマンドフレームは、図２６に示す０信号、１信号、及び送信パワーオン・オフを要素として一連の信号を構成する。情報の書き込み対象となる前記無線タグ２４の特定動作や、情報の書き込み動作では、このコマンドフレームに基づく変調情報であるＴＸ−ＡＳＫ信号が前記高周波回路５４の搬送波変調部１１８に供給され、その搬送波変調部１１８において搬送波のＡＳＫ変調が行われて前記無線タグ２４へ送信される。その信号が対象である無線タグ２４に受信されると、前記制御部７４によりコマンドに対応する前記メモリ部７０への情報の書き込みや、情報の返信動作等が行われる。
【００５２】
前記無線タグ２４による情報の返信動作において、以下に詳細に説明するリプライ情報は、図２７に示す０信号及び１信号を要素とするＦＳＫ変調された一連の信号として構成され、その信号に基づいて搬送波が反射変調されて前記無線タグ作成装置１２へ返信される。例えば、情報の書き込み対象となる前記無線タグ２４の特定動作では、図２８に示すようなその無線タグ２４に固有のＩＤを示す信号により変調された反射波が返信される。
【００５３】
図２９は、前記無線タグ２４のメモリ構成を示す図である。この図２９に示すように、前記無線タグ２４のメモリ部７０には、前述したＣＲＣ符号の計算結果、その無線タグ２４に固有のＩＤ、及びパスワードが予め記憶されている。上記リプライ情報は、これらの情報に基づいて作成されるものであり、例えば、図３０に示すように、「SCROLL ID」コマンドを含む信号が受信された場合には、０ｘＦＥで表される８ｂｉｔの「PREAMBLE」信号と、前記メモリ部７０に記憶されたＣＲＣ符号の計算結果である「CRC」、及びその無線タグ２４のＩＤを示す「ID」から成るリプライ信号が作成される。
【００５４】
前述した図２４の「PING」コマンドは、複数の前記無線タグ２４に対して各無線タグ２４のメモリ部７０に記憶された情報のうち、「CRC」及び「ID」に該当する部分すなわち読み出し開始位置を指定して読み出しを行うためのコマンドであり、図２５に示すように、開始アドレスポインタ「PTR」、データ長「LEN」、及び値「VAL」の情報を含む。例えば、図３１に示すように、前記メモリ部７０に記憶された情報のうち「PTR」番目から後ろ「LEN」個のデータが「VAL」と等しい場合、「PTR+LEN+1」番目以降８ｂｉｔのデータがリプライ信号となる。前記メモリ部７０に記憶された情報のうち「PTR」番目から後ろ「LEN」個のデータが「VAL」と等しくない場合には、返信対象となっていないためリプライ信号は生成されない。
【００５５】
また、前記無線タグ２４の「PING」コマンドに対する返信タイミングは、リプライ信号の上位３ビットによって決まり、前記無線タグ作成装置１２から「PING」に続けて送られるＢＩＮパルスによって区分される「bin0」乃至「bin7」のうち何れかの区間でリプライ信号が返される。例えば、図３２（ａ）に示すように、「PING」コマンドとして「PTR=0」、「LEN=1」、「VAL=0」が送られてきた場合、前記メモリ部７０に記憶された情報のうち１ビット目が「VAL」と一致する「0」である無線タグ２４では、図３２（ｂ）に示すような信号が抽出されてリプライ信号に組み込まれ、そのリプライ信号の上位３ビットが「011」であれば、図３３に示される「PING」コマンドに対するリプライの中の区間「bin3」においてそのリプライ信号が返信される。
【００５６】
「PING」コマンドに対するリプライは、前記無線タグ作成装置１２の通信範囲内に存在する通信可能な無線タグ２４の数によって以下のように異なったものとなる。すなわち、前記無線タグ作成装置１２の通信範囲内に通信可能な無線タグ２４が存在しない場合には、図３３の「CASE1」に示すように、いかなるリプライ信号も返信されない。通信範囲内に通信可能な１つの無線タグ２４が存在する場合には、図３３の「CASE2」に示すように、例えば、「bin3」の区間において「ID1」を示すリプライ信号が返信される。通信範囲内に返信可能な２つの無線タグ２４が存在する場合には、図３４の「CASE3」に示すように、例えば、「bin0」の区間において「ID1」を示すリプライ信号が返信されると共に、「bin2」の区間において「ID2」を示す信号が返信される。また、リプライ信号の上位３ビットが等しい場合には、図３４の「CASE4」に示すように、例えば、「bin2」の区間において「ID1」及び「ID2」を示す信号が返信される場合もある。「PTR」、「LEN」、「VAL」の値を変化させつつこの「PING」コマンドを繰り返すことで、前記無線タグ作成装置１２の通信範囲内に存在する返信可能な無線タグ２４の個数及び各無線タグ２４のＩＤを知ることができ、そのＩＤを用いて書き込み対象となる無線タグ２４へ情報を書き込むことができる。
【００５７】
図３５は、図２１のＳＷＢにおける情報の書き込み対象となる前記無線タグ２４の特定動作を説明するフローチャートである。先ず、ＳＷＢ１において、「PTR=0」及び「LEN=1」が、ＳＷＢ２において、「VAL=0」及び先頭データフラグ「a=0」が設定される。次に、ＳＷＢ３において、「PING」コマンドの回数を示す値「d=1」が、ＳＷＢ４において、前記「d」におけるｂｉｎ番号である「bn(d)=0」が設定される。次に、ＳＷＢ５において、ＳＷＢ１及びＳＷＢ２にて設定された「PTR」、「LEN」、「VAL」に対応する「PING」コマンドフレームが作成されて送信される。次に、ＳＷＢ６において、「bin(bn(d))」すなわち「bin0」にリプライ信号があるか否かが判断される。このＳＷＢ６の判断が肯定される場合には、メモリ部７０の先頭から４ビットが「0000」となっているタグであると推定できるので、この情報を元にＳＷＢ１１において、「SCROLL ID」コマンドフレームが作成されて送信されることで、対象となる無線タグ２４のＣＲＣ符号及びＩＤを含むリプライ信号が得られる。次に、ＳＷＢ１２において、ＳＷＢ１１にて読みとられたＩＤのＣＲＣ符号が計算され、その計算結果が受信されたＣＲＣ符号と一致するか否かが比較されることでそのＩＤが有効なＩＤが否かが判断される。ＳＷＢ１２の判断が肯定される場合には、読みとられたＩＤが有効なＩＤであると判断されるため、ＳＷＢ２１においてそのＩＤデータが記憶された後、ＳＷＢ７以下の処理が実行される。一方、ＳＷＢ６の判断が否定される場合にも、ＳＷＢ７以下の処理が実行される。このＳＷＢ７において、ｂｉｎ番号「dn(d)」に「1」が加算された後、ＳＷＢ８において、ｂｉｎ番号「bn(d)」がｂｉｎ区間の総数である「8」より小さいか否かが判断される。このＳＷＢ８の判断が肯定される場合には、ＳＷＢ６以下の処理が再び実行されるが、ＳＷＢ８の判断が否定される場合には、ＳＷＢ９において、「PING」コマンドの回数を示す「d」が「1」であるか否かが判断される。このＳＷＢ９の判断が否定される場合には、ＳＷＢ１７において、「d」に「1」が加算され、ＳＷＢ１８において、「bn(d)」に「1」が加算された後、ＳＷＢ６以下の処理が再び実行されるが、ＳＷＢ９の判断が肯定される場合には、前記メモリ部７０の先頭データが同じものは全て確認されたことになるため、ＳＷＢ１０において、先頭データフラグ「a」の値が「0」であるか否かが判断される。一方、ＳＷＢ１２の判断が否定される場合には、「bin(bn(d))」の区間で複数のタグが応答していることが考えられ、前回までに実行された「PING」コマンドによって判別されるデータを元に、再度「PING」コマンドが作成されて送信されることで、更に細かく前記無線タグ２４のＩＤが分別される。すなわち、ＳＷＢ１３において、「LEN」の長さが再計算された後、ＳＷＢ１４において、「LEN」の長さが前記メモリ部７０の格納総数「MEM_MAX」より大きいか否かが判断される。このＳＷＢ１４の判断が肯定される場合には、前記メモリ部７０のデータが全て読み出されたうえで且つデータにエラーがあるということになり、そのメモリ部７０のデータに何らかの欠陥があるものとみなされてＩＤデータが記憶されることなく、ＳＷＢ２２において、「d」から「1」が引かれて次のＢＩＮ区間の判定に移るが、Ｓ���Ｂ１４の判断が否定される場合には、ＳＷＢ１５において、前回までに実行された「PING」コマンドによって判別されたデータを元に「VAL」の値が変更される。次に、ＳＷＢ１６において、「d」に「1」が加算された後、ＳＷＢ４以下の処理が再び実行される。ＳＷＢ１０の判断が肯定される場合、すなわち先頭データフラグ「a」の値が「0」であると判断される場合には、前記メモリ部７０の先頭データが「0」のものが確認されたことになり、ＳＷＢ１９において、「LEN=1」が設定され、ＳＷＢ２０において、「VAL=1」、先頭データフラグ「a=1」と設定された後、ＳＷＢ４以下の処理が再び実行されるが、ＳＷＢ１０の判断が否定される場合、すなわち先頭データフラグ「a」の値が「0」ではないと判断される場合には、通信範囲内に存在する全ての無線タグ２４のＩＤが確認されたことになるので、本ルーチンはそれをもって終了させられる。なお、本ルーチンにおいて、複数の無線タグ２４が検出された場合には、詳細な説明を省略する「Quiet」コマンドにより、対象外の無線タグ２４における応答が禁止された後、それに続く処理が進められる。対象となる無線タグ２４の特定は、例えば、検出されたＩＤの番号が小さいものから行われ、また、無線タグ２４が１つも検出されなかった場合には、エラーとして終了させられる。
【００５８】
図３６は、図２１のＳＷＣにおける前記無線タグ２４への情報の書き込み動作を説明するフローチャートである。先ず、ＳＷＣ１において、「N=0」及び「M=0」が設定された後、ＳＷＣ２において、「ERASE ID」コマンドに基づいて変調された信号が前記送受信アンテナ５２から送信されて、書き込み対象となる無線タグ２４のメモリ部７０が初期化される。次に、ＳＷＣ３において、「VERIFY」コマンドに基づいて変調された信号が前記送受信アンテナ５２から送信された後、ＳＷＣ４において、前記無線タグ２４によるリプライ信号からその無線タグ２４のメモリ部７０に記憶された情報が確認され、前記無線タグ２４のメモリ部７０が正常に初期化されているか否かが判断される。このＳＷＣ４の判断が肯定される場合には、ＳＷＣ５において、「PROGRAM ID」コマンドに基づいて変調された信号が前記送受信アンテナ５２から送信されて、前記無線タグ２４に情報が書き込まれる。次に、ＳＷＣ６において、「VERIFY」コマンドに基づいて変調された信号が前記送受信アンテナ５２から送信された後、ＳＷＣ７において、前記無線タグ２４によるリプライ信号からその無線タグ２４のメモリ部７０に記憶された情報が確認され、ＳＷＣ５にて書き込まれた情報と一致するか否かが判断される。このＳＷＣ７の判断が肯定される場合には、ＳＷＣ８において、「LOCK」コマンドに基づいて変調された信号が前記送受信アンテナ５２から送信されて、前記無線タグ２４への新たな情報の書き込みが禁止された後、本ルーチンが終了させられるが、ＳＷＣ７の判断が否定される場合には、ＳＷＣ９において、「N←N+1」とされた後、ＳＷＣ１０において、「N=5」であるか否かが判断される。このＳＷＣ１０の判断が否定される場合には、ＳＷＣ５以下の処理が再び実行されるが、ＳＷＣ１０の判断が肯定される場合、すなわちＳＷＣ５以下の書き込み処理を５回以上失敗した場合には、ＳＷＣ１１において、前記無線タグ２４への情報の書き込み失敗が確認された後、本ルーチンが終了させられる。一方、ＳＷＣ４の判断が否定される場合、すなわち前記無線タグ２４のメモリ部７０が正常に初期化されていないと判断される場合には、ＳＷＣ１２において、「M←M+1」とされた後、ＳＷＣ１３において、「M=5」であるか否かが判断される。このＳＷＣ１３の判断が否定される場合には、ＳＷＣ２以下の処理が再び実行されるが、ＳＷＣ１３の判断が肯定される場合、すなわちＳＷＣ２以下の初期化処理を５回以上失敗した場合には、ＳＷＣ１１において、前記無線タグ２４への情報の書き込み失敗が確認された後、本ルーチンが終了させられる。以上のルーチンにより、通信範囲内にある前記無線タグ２４に所望の情報を書き込むことができる。
【００５９】
図３７は、前記無線タグ作成装置１２による情報の書き込み動作に対応する前記無線タグ２４の制御部７４の動作を説明するフローチャートである。先ず、ＳＴＭ１において、前記変復調部７２からの有効な受信フレームがあるか否かが判断される。このＳＴＭ１の判断が否定される場合には、肯定されるまで判断が繰り返されることで待機させられるが、ＳＴＭ１の判断が肯定される場合には、ＳＴＭ２において、ＳＴＭ１にて受信された受信フレームが前記メモリ部７０への情報の書き込みに関するコマンド（「ERASE」コマンド、「PROGRAM ID」コマンド等）であるか否かが判断される。このＳＴＭ２の判断が否定される場合には、ＳＴＭ６において、ＳＴＭ１にて受信された受信フレームが前記メモリ部７０からの情報の読み出しに関するコマンド（「SCROLL ID」コマンド、「VERIFY」コマンド等）であるか否かが判断されるが、ＳＴＭ２の判断が肯定される場合には、ＳＴＭ３において、前記書込制御電極７６、１４２が開放される等して前記メモリ部７０への情報の書き込みが禁止されているか否かが判断される。このＳＴＭ３の判断が肯定される場合には、上記コマンドは実行されず、従って前記メモリ部７０への情報の書き込みは行われず、ＳＴＭ１以下の処理が再び実行されるが、ＳＴＭ３の判断が否定される場合には、ＳＴＭ４において、「PROGRAM ID」コマンドの書込情報が読み込まれて、ＳＴＭ５において、その書込情報が前記メモリ部７０へ格納された後、ＳＴＭ１以下の処理が再び実行される。ＳＴＭ６の判断が否定される場合、すなわちＳＴＭ１にて受信された受信フレームが前記メモリ部７０からの情報の読み出しに関するコマンドではない場合には、ＳＴＭ１以下の処理が再び実行されるが、ＳＴＭ６の判断が肯定される場合、すなわちＳＴＭ１にて受信された受信フレームが前記メモリ部７０からの情報の読み出しに関するコマンドである場合には、ＳＴＭ７において、前記メモリ部７０に記憶されたその無線タグ２４のＩＤ等が返信された後、ＳＴＭ１以下の処理が再び実行される。以上の制御において、ＳＴＭ３乃至ＳＴＭ５が前記書込制御手段７８に対応する。
【００６０】
図３８は、図２１のＳＷＣにおける前記無線タグ２４への情報の書き込み動作と並行して行われる、前記カバーフィルム８６への印字動作及びタグテープ２４の送出・切断動作を説明するフローチャートである。先ず、ＳＴ１において、前記通信回線１４を介して前記情報サーバ２２から印字書き込み情報がダウンロード或いはアップロードされる。次に、前記書込制御情報入力手段１３０に対応するＳＴ２において、前記端末１８等により入力される書込制御情報が読み込まれる。次に、ＳＴ３において、前記カートリッジ用モータ駆動回路３２、印刷駆動回路３６、及び送出ローラ駆動回路４２等を介して前記カバーフィルム８６への印字動作が実行される。次に、前述したＳＷＣにおける前記無線タグ２４への情報の書き込み動作が実行される。次に、ＳＴ４において、ＳＴ２にて読み込まれた書込制御情報が作成される無線タグ２４への新たな情報の書き込みを許可するものであるか否かが判断される。このＳＴ４の判断が否定される場合には、ＳＴ５において、前記タグテープ２６に対して前記カッタ５０が図１１（ｂ）等の点線Ｘで示す位置とされるまでそのタグテープ２６が送出された後、ＳＴ７以下の処理が実行されるが、ＳＴ４の判断が肯定される場合には、ＳＴ６において、前記タグテープ２６に対して前記カッタ５０が図１１（ｂ）等の点線Ｙで示す位置とされるまでそのタグテープ２６が送出された後、前記タグテープ切断制御手段１３４に対応するＳＴ７において、前記カッタ５０によりタグテープ２６が切断される。次に、ＳＴ８において、作成された無線タグ２４の排出動作が実行される。そして、そして、ＳＴ９において、印字及び情報書き込み動作の成功が確認された後、本ルーチンが終了させられる。以上の制御において、ＳＴ５及びＳＴ６が前記タグテープ送出制御手段１３２に対応する。以上のルーチンにより、所定の印字が行われると共に所定の情報が書き込まれた前記無線タグ２４が作成される。
【００６１】
このように、本実施例の無線タグ２４は、情報記憶部である前記メモリ部７０への情報の書き込みを制御するための書込制御電極７６を備え、前記ＩＣ回路部８０は、その書込制御電極７６の短絡又は開放に応じて前記メモリ部７０への情報の書き込みを制御する書込制御手段７８（ＳＴＭ３乃至ＳＴＭ５）を含むことから、前記メモリ部７０への情報の書き込みの前後において前記書込制御電極７６の短絡・開放を適宜切り換えることで、対象となる無線タグ２４のみに確実に情報を書き込むことができる。
【００６２】
また、前記書込制御手段７８は、前記書込制御電極７６が開放されている場合には前記メモリ部７０への情報の書き込みを禁止するものであるため、書き込みの完了した無線タグ２４の書込制御電極７６を開放させることで、その無線タグ２４におけるメモリ部７０への新たな情報の書き込みを禁止できる。
【００６３】
また、前記書込制御電極７６を短絡させるための接続電極９５を有するものであるため、情報の書き込みに際してはじめて対象となる無線タグ回路２４ａの書込制御電極７６をその接続電極９５により短絡させることで、その無線タグ回路２４ａのみに確実に情報を書き込むことができる。
【００６４】
また、前記メモリ部７０への情報の書き込みを制御するための第１書込制御電極１５２及び第２書込制御電極１５４を備え、前記書込制御手段７８は、その第１書込制御電極１５２が短絡されている場合及び第２書込制御電極１５４が開放されている場合には前記メモリ部７０への情報の書き込みを禁止するものであるため、情報の書き込みに際してはじめて対象となる無線タグ回路１５６ａの第１書込制御電極１５２を開放させ、その無線タグ回路１５６ａにおけるメモリ部７０へ情報を書き込んだ後、その無線タグ回路１５６ａの第２書込制御電極１５４を短絡させることで、その無線タグ回路１５６ａのみに確実に情報を書き込むことができる。
【００６５】
また、前記メモリ部７０への情報の書き込みを制御するための第３書込制御電極１５８を更に備え、前記書込制御手段７８は、その第３書込制御電極１５８が開放されている場合には前記メモリ部７０への情報の書き込みを許可するものであるため、特別に所望される場合には、前記第１書込制御電極１５２及び第２書込制御電極１５４の短絡又は開放に係わらず前記メモリ部７０へ情報を書き込むことができる。
【００６６】
また、前記書込制御電極７６のインピーダンスは、前記ＩＣ回路部８０に接続されて非接触にて前記情報の送受信を行うためのアンテナ部６２のインピーダンスよりも高いものであるため、比較的低い電力により前記書込制御電極７６の短絡又は開放を判定することができる。
【００６７】
また、本実施例の無線タグ作成装置１２は、複数の前記無線タグ回路２４ａ等が連続して配設されたタグテープ２６を所定の切断位置で切断するように制御するタグテープ切断制御手段１３４（ＳＴ７）を含むことから、その切断により前記書込制御電極７６の短絡・開放を適宜切り換えることができ、延いては前記メモリ部７０への情報の書き込みを制御することができる。
【００６８】
また、前記タグテープ切断制御手段１３４は、予め短絡されている前記書込制御電極７６が開放される位置で前記タグテープ２６を切断するものであるため、その切断により書き込みの完了した無線タグ２４における前記メモリ部７０への新たな情報の書き込みを禁止できる。
【００６９】
また、切断により前記タグテープ２６から分割される前記無線タグ２４への新たな情報の書き込みの許可又は禁止を定める書込制御情報を入力するための書込制御情報入力手段１３０（ＳＴ２）と、その書込制御情報入力手段１３０により入力される書込制御情報に基づいてそのタグテープ２６の送出量を決定するタグテープ送出制御手段１３２（ＳＴ５及びＳＴ６）とを、含むものであるため、前記メモリ部７０への新たな情報の書き込み可能な無線タグ２４及び書き込み不可能な無線タグ２４を簡単に作り分けることができる。
【００７０】
また、前記ＩＣ回路部８０及び書込制御電極７６が固着された第１シート材９２と、前記接続電極９５が形成された第２シート材９６とを貼り合わせることにより、その接続電極９５により前記書込制御電極７６が短絡された前記タグテープ２６を形成するものであるため、それら第１シート材９２及び第２シート材９６が貼り合わされることによりはじめて対象となる無線タグ回路２４ａの書込制御電極７６が短絡させられることから、張り合わされる前の第１シート材９２に固着されたＩＣ回路部８０に備えられたメモリ部７０への情報の書き込みを確実に禁止できる。
【００７１】
また、前記タグテープ切断制御手段１３４は、予め短絡されている前記第１書込制御電極１５２が開放される位置で前記タグテープ１５０を切断するものであるため、情報の書き込みに際してはじめて対象となる無線タグ回路１５６ａの第１書込制御電極１５２を開放させることで、切断される前の前記タグテープ１５０におけるＩＣ回路部８０に備えられたメモリ部７０への情報の書き込みを確実に禁止できる。
【００７２】
また、前記タグテープ切断制御手段１３４は、予め短絡されている前記第２書込制御電極１５４が開放される位置で前記タグテープ１５０を切断するものであるため、情報の書き込みが完了した無線タグ回路１５６ａの第２書込制御電極１５４をその切断により開放させることで、その無線タグ回路１５６ａにおけるメモリ部７０への新たな情報の書き込みを禁止できる。
【００７３】
また、前記タグテープ切断制御手段１３４は、前記タグテープ１５０において互いに隣接して配設された第１の無線タグ回路１５６ｂにおける第１書込制御電極１５２及び第２の無線タグ回路１５６ａにおける第２書込制御電極１５４が同時に開放されるように切断するものであるため、情報の書き込みが完了した前記第２の無線タグ回路１５６ａへの情報の書き込みを禁止すると共に、次なる情報の書き込みの対象となる前記第１の無線タグ回路１５６ｂへの情報の書き込みを許可できる。
【００７４】
以上、本発明の好適な実施例を図面に基づいて詳細に説明したが、本発明はこれに限定されるものではなく、更に別の態様においても実施される。
【００７５】
例えば、本実施例の無線タグ２４は、その無線タグ２４に備えられた書込制御電極７６の短絡・開放に応じて情報書込の許可又は禁止を表す信号を返信し得るものであることから、それを商品管理等に応用することができる。すなわち、観音開きする上蓋を有する箱１７０に、図３９（ａ）に示すようにその上蓋が開かれることで前記書込制御電極７６が開放される位置に前記無線タグ２４が貼り付けられることで、図３９（ｂ）に示すようにその上蓋が開かれた場合にはそれを検出できる。また、図４０（ａ）に示すように袋１７２の口が破られることで前記書込制御電極７６が開放される位置に前記無線タグ２４が貼り付けられることで、図４０（ｂ）に示すようにその口が破られた場合にはそれを検出できる。斯かる用途に用いられる無線タグ２４には、切断が予定される部分に予めミシン目が設けられてもよい。
【００７６】
また、前記無線タグ２４等は、図４（ｂ）に示すように、ループアンテナであるアンテナ部６２を備えたものであったが、ＲＦＩＤシステムにより好適に情報の通信を行い得るアンテナであればループアンテナでなくともよく、例えば、ダイポールアンテナ、八木アンテナ、或いはマイクロストリップアンテナ等を備えたものであっても構わない。
【００７７】
また、前記無線タグ作成装置１２は、前記タグテープ２６を切断するために単一のカッタ５０のみを有するものであったが、複数のカッタを有するものであっても当然に構わない。
【００７８】
また、前記無線タグ作成装置１２は、前記無線タグ２４に情報の書き込みを行うと共に、その無線タグ２４を識別するための印刷を行うものであったが、この印刷は必ずしも行われなくともよく、また、情報の書き込みのみを行うものであっても構わない。
【００７９】
その他、一々例示はしないが、本発明は、その趣旨を逸脱しない範囲内において、種々の変更が加えられて実施されるものである。
【図面の簡単な説明】
【００８０】
【図１】本発明が好適に適用されるＲＦＩＤシステムを説明する図である。
【図２】本発明の一実施例である無線タグ作成装置の構成を説明する図である。
【図３】本発明の一実施例である無線タグの構成を説明する図である。
【図４】図３の無線タグの外観及び構成を説明する図であり、（ａ）は平面図、（ｂ）は平面視におけるアンテナ部、書込制御電極、及びＩＣ回路部等の配置を説明する図である。
【図５】図４のV‐V断面図である。
【図６】図２のカートリッジの構成を詳しく説明する図である。
【図７】図６のタグテープの形成を説明する図であり、（ａ）は第２シート材を、（ｂ）は第１シート材を、（ｃ）は（ｂ）の平面図を、（ｄ）は第１シート材及び第２シート材が貼り合わされて形成されたタグテープをそれぞれ示している。
【図８】図２の制御回路の構成を説明する図である。
【図９】図２の無線タグ作成装置による無線タグへの情報の書き込みに際して、図１の端末又は汎用コンピュータに表示される画面の一例である。
【図１０】図２の高周波回路を詳しく説明する図である。
【図１１】図２のタグテープの外観及び構成を説明する図であり、（ａ）は底面図、（ｂ）は平面視におけるアンテナ部、書込制御電極、及びＩＣ回路部等の配置を説明する図である。
【図１２】図６のカートリッジに備えられるタグテープの他の一例を示す図である。
【図１３】図１２のタグテープを矢印XIIIで示す方向から視た構造図である。
【図１４】図６のカートリッジに備えられるタグテープの更に別の一例を示す図である。
【図１５】図１４のタグテープの切断による無線タグの作成について説明する図であり、（ａ）は切断前の様子を、（ｂ）は（ａ）の点線Ｘで切断した様子を、（ｃ）は（ａ）の点線Ｙで切断した様子をそれぞれ示している。
【図１６】図６のカートリッジに備えられるタグテープの更に別の一例を示す図である。
【図１７】図１６のタグテープの切断による無線タグの作成について説明する図であり、（ａ）は切断前の様子を、（ｂ）は（ａ）の点線Ｘで切断した様子を、（ｃ）は（ａ）の点線Ｙで切断した様子を、（ｄ）は点線Ｚで切断した様子をそれぞれ示している。
【図１８】図１のＲＦＩＤシステムによる図３の無線タグへの情報書き込みに先立ち実行される、図２の無線タグ作成装置の初期化動作を説明するフローチャートである。
【図１９】図１８のＳＰＡにおける無線タグ作成装置の機械情報の初期化動作を説明するフローチャートである。
【図２０】図１８のＳＰＢにおける無線タグ作成装置の高周波回路に備えられた搬送波発生部の設定初期化動作を説明するフローチャートである。
【図２１】図２の無線タグ作成装置による図３の無線タグへの情報書き込み動作を説明するフローチャートである。
【図２２】図２１のＳＷＡにおける無線タグへ情報を書き込むための準備動作を説明するフローチャートである。
【図２３】図３の無線タグに情報を送信するための変調情報の生成について説明するフローチャートである。
【図２４】図２３のコマンド決定ルーチンにて決定されるコマンドの種類を示す表である。
【図２５】図２３のコマンドフレーム構造を詳しく説明する図である。
【図２６】図２３のコマンドフレームの構成要素である０信号及び１信号について説明する図である。
【図２７】図３の無線タグからのリプライ信号の作成に用いられる０信号及び１信号について説明する図である。
【図２８】図３の無線タグに固有のＩＤを示す信号を例示する図である。
【図２９】図３の無線タグのメモリ構成を示す図である。
【図３０】図３の無線タグにおいて「SCROLL ID」コマンドを含む信号が受信された場合に返信される「SCROLL ID Reply」について説明する図である。
【図３１】図３のメモリ部に記憶された情報の一部である「LEN」に続く情報が抽出される様子を説明する図である。
【図３２】図２４の「SCROLL ID Reply」について詳しく説明する図である。
【図３３】図２の無線タグ作成装置が通信範囲内の無線タグを識別する動作を行った際に考えられる無線タグからの返信状態を例示する図である。
【図３４】図２の無線タグ作成装置が通信範囲内の無線タグを識別する動作を行った際に考えられる無線タグからの返信状態を例示する図である。
【図３５】図２１のＳＷＢにおける情報の書き込み対象となる無線タグの特定動作を説明するフローチャートである。
【図３６】図２１のＳＷＣにおける無線タグへの情報の書き込み動作を説明するフローチャートである。
【図３７】図２の無線タグ作成装置による情報の書き込み動作に対応する無線タグの制御部の動作を説明するフローチャートである。
【図３８】図２１のＳＷＣにおける無線タグへの情報の書き込み動作と並行して行われる、カバーフィルムへの印字動作及びタグテープの送出・切断動作を説明するフローチャートである。
【図３９】図３の無線タグの商品管理への応用について説明する図であり、（ａ）は箱の上蓋に無線タグが貼られた様子、（ｂ）はその上蓋が空けられた様子をそれぞれ示している。
【図４０】図３の無線タグの商品管理への応用について説明する図であり、（ａ）は袋の口に無線タグが貼られた様子、（ｂ）はその口が破られた様子をそれぞれ示している。
【符号の説明】
【００８１】
１２：無線タグ作成装置
２４、１５６、１６２：無線タグ
２６、１４０、１５０、１６０：タグテープ
６２：アンテナ部
７０：メモリ部（情報記憶部）
７６、１４２：書込制御電極
７８：書込制御手段
８０：ＩＣ回路部
９２、１４６：第１シート材
９５、１４４：接続電極
９６、１４８：第２シート材
１３０：書込制御情報入力手段
１３２：タグテープ送出制御手段
１３４：タグテープ切断制御手段
１５２：第１書込制御電極
１５４：第２書込制御電極
１５８：第３書込制御電極
【図１】
2005108009.tif 000003
【図２】
2005108009.tif 000004
【図３】
2005108009.tif 000005
【図４】
2005108009.tif 000006
【図５】
2005108009.tif 000007
【図６】
2005108009.tif 000008
【図７】
2005108009.tif 000009
【図８】
2005108009.tif 000010
【図９】
2005108009.tif 000011
【図１０】
2005108009.tif 000012
【図１１】
2005108009.tif 000013
【図１２】
2005108009.tif 000014
【図１３】
2005108009.tif 000015
【図１４】
2005108009.tif 000016
【図１５】
2005108009.tif 000017
【図１６】
2005108009.tif 000018
【図１７】
2005108009.tif 000019
【図１８】
2005108009.tif 000020
【図１９】
2005108009.tif 000021
【図２０】
2005108009.tif 000022
【図２１】
2005108009.tif 000023
【図２２】
2005108009.tif 000024
【図２３】
2005108009.tif 000025
【図２４】
2005108009.tif 000026
【図２５】
2005108009.tif 000027
【図２６】
2005108009.tif 000028
【図２７】
2005108009.tif 000029
【図２８】
2005108009.tif 000030
【図２９】
2005108009.tif 000031
【図３０】
2005108009.tif 000032
【図３１】
2005108009.tif 000033
【図３２】
2005108009.tif 000034
【図３３】
2005108009.tif 000035
【図３４】
2005108009.tif 000036
【図３５】
2005108009.tif 000037
【図３６】
2005108009.tif 000038
【図３７】
2005108009.tif 000039
【図３８】
2005108009.tif 000040
【図３９】
2005108009.tif 000041
【図４０】
2005108009.tif 000042